(57)【要約】【課題】  景観と衛生を保つことができる排泄物収容器具を提供する。【解決手段】  排泄物が収容される収容部を開閉する環状の開閉部１１と、この開閉部１１がヒンジ部２２を介して折り畳まれることで閉塞して収容部の内側を遮蔽させる未操作状態、または開閉部１１が広げられることで開放して収容部の内側を露出させる操作状態に変化させる操作部２９とを備えて排泄物収容器具１０を構成する。【選択図】  図２
0003201255.tif 000002
【実用新案登録請求の範囲】
【請求項１】
排泄物が収容される収容部を開閉する開閉部と、
前記開閉部が閉塞して前記収容部の内側が遮蔽した未操作状態、または前記開閉部が開放して前記収容部の内側が露出した操作状態に変化させる操作部と、が備えられた、
ことを特徴とする排泄物収容器具。
【請求項２】
前記開閉部が環状に形成され、この開閉部に、前記未操作状態で前記開閉部を折り畳むための一対のヒンジ部が備えられ、
前記収容部の開口部が前記開閉部に取り付けられた、
ことを特徴とする請求項１に記載された排泄物収容器具。
【請求項３】
前記開閉部に、前記収容部が着脱される着脱部が備えられ、この着脱部が、前記未操作状態で露出し、前記操作状態で遮蔽される、
ことを特徴とする請求項１または請求項２に排泄物収容器具。
【請求項４】
前記開閉部のうち、折り畳まれて対面する側の反対側に前記着脱部が備えられた、
ことを特徴とする請求項３に記載された排泄物収容器具。
【請求項５】
前記操作部と前記ヒンジ部との間に渡されて前記操作部と前記開閉部とを連動させるワイヤーと、
前記ヒンジ部に備えられて前記ワイヤーを引くバネ部材と、が備えられた、
ことを特徴とする請求項２から請求項４のいずれか１項に記載された排泄物収容器具。
【考案の詳細な説明】
【技術分野】
【０００１】
本考案は、動物の排泄物を収容するための排泄物収容器具に関するものである。
【背景技術】
【０００２】
従来、例えば、ペットとして飼われる犬などの動物の散歩において、動物の排泄物を拾得する際に用いられる器具として、下記特許文献１に記載された動物の糞取り器がある。この動物の糞取り器は、棒状のアーム部の先端にリング状のリング部が取り付けられ、このリング部に袋などが取り付けられている。排泄時において、動物が排泄する位置に予めリング部を配置しておくことにより、排泄物を袋で直接拾得することができる。
【先行技術文献】
【特許文献】
【０００３】
【特許文献１】特開２００８−２７８８７９号公報
【考案の概要】
【考案が解決しようとする課題】
【０００４】
しかし、特許文献１に記載された動物の糞取り器は、上記したとおり、動物が排泄する位置に予めリング部を配置しておくことにより、排泄物を袋で直接拾得することができるが、排泄物が収容された袋は、排泄物が露出した状態であるため、景観を損なう場合がある。したがって、袋をリング部から取り外して袋の開口部を塞ぐなどの処理を要するが、リング部に取り付けられた袋の開口部に排泄物が付着している場合があり、このことにより、リング部から袋を取り外す際、排泄物に接触して衛生が損なわれる場合がある。
【０００５】
本考案は、上記の実情に鑑みて提案されたものである。すなわち、景観と衛生を保つことができる排泄物収容器具の提供を目的とする。
【課題を解決するための手段】
【０００６】
上記目的を達成するために、本考案に係る排泄物収容器具は、排泄物が収容される収容部を開閉する開閉部と、前記開閉部が閉塞して前記収容部の内側が遮蔽した未操作状態、または前記開閉部が開放して前記収容部の内側が露出した操作状態に変化させる操作部と、が備えられた、ことを特徴とする。
【０００７】
本考案に係る汚物収容器具は、前記開閉部が環状に形成され、この開閉部に、前記未操作状態で前記開閉部を折り畳むための一対のヒンジ部が備えられ、前記収容部の開口部が前記開閉部に取り付けられた、ことを特徴とする。
【０００８】
本考案に係る汚物収容器具は、前記開閉部に、前記収容部が着脱される着脱部が備えられ、この着脱部が、前記未操作状態で露出し、前記操作状態で遮蔽される、ことを特徴とする。
【０００９】
本考案に係る汚物収容器具は、前記開閉部のうち、折り畳まれて対面する側の反対側に前記着脱部が備えられた、ことを特徴とする。
【００１０】
本考案に係る汚物収容器具は、前記操作部と前記ヒンジ部との間に、前記操作部と前記開閉部とを連動させるワイヤーと、前記ヒンジ部に備えられて前記ワイヤーを引くバネ部材と、が備えられた、ことを特徴とする。
【考案の効果】
【００１１】
本考案に係る排泄物収容器具は上記した構成である。この構成により、排泄時にのみ操作部が操作されて（外力が加えられて）操作状態に変化し、一方で、排泄時以外では操作部が操作されず（外力から解放されて）未操作状態に変化する。すなわち、排泄物を収容部に収容した後、未操作状態に変化させることで排泄物が遮蔽されるため、景観を保つことができる。また、未操作状態において開閉部が閉塞するため、収容部を閉塞させるために収容部を取り外す必要がなく、衛生を保つことができる。
【００１２】
また、上記した構成により、操作せずとも開閉部が閉塞するため、排泄物を拾得した後、操作せずとも収容部を遮蔽させて景観を保つことができる。
【００１３】
本考案に係る排泄物収容器具は、開閉部が環状に形成され、この開閉部に、未操作状態で開閉部を折り畳むための一対のヒンジ部が備えられ、収容部の開口部が開閉部に取り付けられている。この構成により、未操作状態において、開閉部がヒンジ部で折り畳まれることで収容部の開口部が閉じられるため、排泄物が遮蔽される。したがって、景観を保つことができる。
【００１４】
本考案に係る排泄物収容器具は、開閉部に、収容部が着脱される着脱部が備えられ、この着脱部が、未操作状態で露出し、操作状態で遮蔽される。すなわち、排泄時における操作状態において着脱部が遮蔽されているため、排泄物が着脱部に付着することがない。一方で、排泄時以外における未操作状態において着脱部が露出しているため、収容部の着脱が可能な状態である。したがって、着脱部が汚れることがなく、衛生を保つことができる。
【００１５】
本考案に係る排泄物収容器具は、開閉部のうち、折り畳まれて対面する側の反対側に着脱部が備えられている。この構成により、未操作状態において開閉部が折り畳まれると、開閉部は、折り畳まれて対面する側が遮蔽し、この反対側が露出する。すなわち、未操作状態でのみ着脱部が露出するため、着脱部は汚れることがなく衛生的である。したがって、衛生を保つことができる。
【００１６】
本考案に係る排泄物収容器具は、操作部とヒンジ部との間に渡されて操作部と開閉部とを連動させるワイヤーと、ヒンジ部に備えられてワイヤーを引くバネ部材と、が備えられている。この構成により、外力が加わって操作部が操作されるとワイヤーが引かれ、ヒンジ部が稼働して開閉部が開放する。すなわち、操作状態に変化する。一方、外力から解放されて操作部が操作されない場合、バネ部材によって操作状態のときと逆方向にワイヤーが引かれ、ヒンジ部が稼働して開閉部が閉塞する。すなわち、未操作状態に変化する。したがって、排泄物を収容部に収容した後、未操作状態に変化させることで排泄物が遮蔽されるため、景観を保つことができる。また、未操作状態において開閉部が閉塞するため、収容部を閉塞させるために収容部を取り外す必要がなく、衛生を保つことができる。
【図面の簡単な説明】
【００１７】
【図１】本考案の実施形態に係る排泄物収容器具の使用状態が示された使用状態説明図である。
【図２】本考案の実施形態に係る排泄物収容器具の操作状態の外観が示され、（ａ）が表側から視した平面透視図、（ｂ）が側方から視した側面透視図である。
【図３】本考案の実施形態に係る排泄物収容器具の未操作状態の外観が示され、（ａ）が表側から視した平面透視図、（ｂ）が側方から視した側面透視図である。
【図４】本考案の実施形態に係る排泄物収容器具のヒンジ部の内部構造が示され、（ａ）が操作状態のＡ−Ａ側面断面図、（ｂ）が操作状態のＡ−Ａ断面斜視透視図、（ｃ）が未操作状態のＢ−Ｂ側面断面図、（ｄ）が未操作状態のＢ−Ｂ断面斜視透視図である。
【考案を実施するための形態】
【００１８】
以下に、本考案の実施形態に係る排泄物収容器具を図面に基づいて説明する。図１は、本考案の実施形態に係る排泄物収容器具１０の使用状態が示されている。図２および図３は、本考案の実施形態に係る排泄物収容器具１０の外観が示されている。ここで、図２に示された排泄物収容器具１０は操作状態であり、図３に示された排泄物収容器具１０は未操作状態である。
【００１９】
図１に示されているとおり、本考案の実施形態に係る排泄物収容器具１０は、例えばペットとして飼われる犬などの動物１の排泄物（図示省略）を収容部２に収容するものであり、動物１が排泄する位置に予め配置しておくことにより、排泄物を収容部２で直接拾得するものである。収容部２は、例えばポリ塩化ビニル製や紙製などの袋であり、開口部３が形成されている。収容部２は、排泄物が収容されるため、使い捨てであることが好ましい。
【００２０】
図２および図３に示されているとおり、排泄物収容器具１０は、排泄物が収容される収容部２を開閉するための開閉部１１と、未操作状態または操作状態に変化させる操作部２９とが備えられている。ここで、未操作状態とは、開閉部１１が閉塞して収容部２の内側が遮蔽している状態をいい、一方操作状態とは、開閉部１１が開放して収容部２の内側が露出した状態をいう（図１参照）。なお、以下の説明では、図２において、操作部２９がある側（右側）を後方とし、開閉部１１がある側（左側）を前方とし、排泄物収容器具１０の全長と交差する方向を側方とする。また、図２（ａ）を表側とし、反対側を裏側とする。
【００２１】
＜操作部＞
操作部２９は、ほぼ“コ”字状に形成されたフレーム部３０と、このフレーム部３０のコ字状を閉塞する握り部３１と、フレーム部３０に沿って移動するハンドル部３７とから構成されている。フレーム部３０は、コ字状のうち、開放されている側（後方）に、棒状の握り部３１が連接されている。フレーム部３０と握り部３１とで形成された環状の内側に、ほぼ四角形の角形空隙３５が形成されている。また、フレーム部３０は、コ字状のうち、互いに対面して配置されたフレーム側方部３２の裏側に、レール溝３３が形成されている。さらにフレーム部３０は、コ字状のうち、閉塞されている側（前方）のフレーム前方部３４に、連結部材３６が取り付けられている。連結部材３６は、前後方向を軸とする円筒状であり、前方端に開閉部１１が連結されている。
【００２２】
ハンドル部３７は棒状であり、角形空隙３５に配置されている。ハンドル部３７の両端である側方は、滑車部３８が備えられ、この滑車部３８がフレーム側方部３２のレール溝３３に取り付けられている。すなわち、ハンドル部３７は、滑車部３８を介し、フレーム部３０に対してレール溝３３に沿って前後方向に移動する。
【００２３】
＜開閉部＞
開閉部１１は環状に形成され、環状の内側に長孔形状の長孔空隙３９が形成されている。また、開閉部１１は、未操作状態で開閉部１１を折り畳むための一対のヒンジ部２２が形成されている。詳説すれば、開閉部１１は、ほぼ“Ｕ”字状に形成された固定側開閉アーム部１２と、同様にほぼ“Ｕ”字状に形成された作動側開閉アーム部１８とから構成され、各開閉アーム部１２，１８のＵ字状うち、開放されている側同士が、ヒンジ部２２を介して連結されている。すなわち、開閉部１１は、ヒンジ部２２が稼働すると、作動側開閉アーム部１８が固定側開閉アーム部１２に対して折り重なり、作動側開閉アーム部１８と固定側開閉アーム部１２とが対面することで折り畳まれる。
【００２４】
固定側開閉アーム部１２は、Ｕ字状のうち、閉塞されている側（後方）の固定アーム後方部１３が、連結部材３６と連結されている。固定側開閉アーム部１２の裏側は、ワイヤー５を通すために固定側開閉アーム部１２に沿ってＵ字状に形成された固定側Ｕ字溝１４が形成され、この固定側Ｕ字溝１４に、ワイヤー５を支持するための複数の支持部１５が形成されている。固定側開閉アーム部１２のＵ字状のうち、開放されている側（前方）の固定アーム前方端部１６と、作動側開閉アーム部１８のＵ字状のうち、開放されている側（後方）の作動アーム後方端部１９とが、ヒンジ部２２を介して連結されている。
【００２５】
＜着脱部＞
作動側開閉アーム部１８の裏側（開閉部１１が折り畳まれて対面する側の反対側）は、収容部２が着脱される着脱部２０が形成されている。詳説すれば、着脱部２０は、ストッパー４と、このストッパー４を嵌合させるために作動側開閉アーム部１８に沿ってＵ字状に形成された作動側Ｕ字溝２１とによって形成されている。ストッパー４は、例えばポリウレタン製であり、作動側Ｕ字溝２１の形状に沿って変形し、作動側Ｕ字溝２１に対して着脱が可能である。なお、ストッパーは例えば、別部材の磁石やクリップで挟む構成などであってもよい。
【００２６】
次に、ヒンジ部２２を図面に基づいて説明する。図４は、本考案の実施形態に係る排泄物収容器具１０のヒンジ部２２の内部構造が示されている。ここで、図４（ａ）（ｂ）に示されたヒンジ部２２は開閉部１１が開放した操作状態であり、図４（ｃ）（ｄ）に示されたヒンジ部２２は開閉部１１が閉塞した未操作状態である。
【００２７】
＜ヒンジ部＞
図４に示されているとおり、ヒンジ部２２は、固定側開閉アーム部１２の固定アーム前方端部１６と作動側開閉アーム部１８の作動アーム後方端部１９との連結箇所であり、固定アーム前方端部１３と作動アーム後方端部１９とで形成された円柱状の空間に以下の各部材が備えられている。すなわち、ヒンジ部２２は、作動アーム後方端部１９に取り付けられた係止部２３と、この係止部２３に連接されて各開閉アーム部１２，１８を同軸上に揃えて軸支する回転支持ピン２５と、この回転支持ピン２５が貫通し、ワイヤー５を引くバネ部材としてのトーションバネ２６と、係止部２３に固定されたヒンジ滑車部材２７とから構成されている。
【００２８】
係止部２３は円板状に形成され、作動アーム後方端部１９にネジで固定されている。係止部２３の中央は、回転支持ピン２５の側方端が連接されている。係止部２３の縁は、切り込みが形成され、この切り込みによって一部が切り出されると共に折り曲げられたことで作動側爪部２４が形成されている。作動側爪部２４は、係止部２３に対してほぼ直角に立ち上がって側方に向けて突出している。
【００２９】
トーションバネ２６は、一方の端が係止部２３の作動側爪部２４に係止され、他方の端が、固定側開閉アーム部１２の固定アーム前方端部１６に形成された固定側爪部１７に係止されている。トーションバネ２６は、開閉部１１が折り畳まれて閉塞した未操作状態において、外力から解放されて伸張・圧縮がない通常の状態となり、開閉部１１が広げられて開放した操作状態において、外力が蓄積された状態となるように取り付けられている。
【００３０】
ヒンジ滑車部材２７は、ほぼ半円形であり、係止部２３と共に同軸上に揃えられて作動アーム後方端部１９にネジで固定されている。ヒンジ滑車部２７は、円周に沿ってワイヤー溝２８が形成され、このワイヤー溝２８にワイヤー５が取り付けられている。ワイヤー５の一方の端は、ヒンジ滑車部材２７に固定されている。ヒンジ滑車部材２７は、未操作状態では、ヒンジ部２２において前方側に配置されており（図４（ｃ）（ｄ）参照）、操作状態に変化する際に回転支持ピン２５を軸として回転し、ヒンジ部２２において後方側に配置される（図４（ａ）（ｂ）参照）。
【００３１】
図２に示されているとおり、ワイヤー５は、操作部２９とヒンジ部２２との間に渡って配置されている。詳説すれば、ワイヤー５は、一方の端がヒンジ滑車部材２７に取り付けられ（図４参照）、他方の端がハンドル部３７の中央に取り付けられている。また、ワイヤー５は、ヒンジ滑車部材２７とハンドル部３７との間において、操作部２９のフレーム前方部３４および連結部材３６を通って開閉部１１に至り、固定側開閉アーム部１２の固定側Ｕ字溝１４を通ってヒンジ部２２に至っている。この構成により、操作部２９と開閉部１１とが連動する。
【００３２】
上記したとおり、排泄物収容器具１０が構成されている。
【００３３】
次に、排泄物収容器具１０の使用方法を説明する。
【００３４】
図３において、排泄物収容器具１０は外力が加えられていないため、未操作状態である。未操作状態では、操作部２９は、ハンドル部３７がフレーム部３０に対し、フレーム前方部３４側に近接して配置されている。開閉部１１は閉塞し、作動側開閉アーム部１８が固定側開閉アーム部１２に対して折り重なり、作動側開閉アーム部１８と固定側開閉アーム部１２とが対面している。
【００３５】
未操作状態について詳説すれは、図４（ｃ）（ｄ）に示されているとおり、ヒンジ部２２において、トーションバネ２６が通常の状態であり、ヒンジ滑車部材２７がヒンジ部２２において前方側に配置されると共に、ワイヤー５がワイヤー溝２８に沿ってヒンジ滑車部材２７に掛けられている。すなわち、ワイヤー５がヒンジ滑車部２７に巻き付けられることにより、ワイヤー５が前方に引っ張られると共に、ヒンジ滑車部２７が取り付けられた作動側開閉アーム部１８が固定側開閉アーム部１２に対して折り重なり、作動側開閉アーム部１８と固定側開閉アーム部１２とが対面している。
【００３６】
図３に示された未操作状態において、操作者６（図１参照）が握り部３１を掴むと共にハンドル部３７を把持することで、操作部２９に外力が加えられると、図２に示されているとおり、操作状態に変化する。操作状態では、操作部２９は、ハンドル部３７が後方に引かれてフレーム部３０に対して握り部３１側に近接して配置される。同時に、ワイヤー５が後方に引かれて開閉部１１が開放し、作動側開閉アーム部１８が固定側開閉アーム部１２に対して水平に配置される。なお、作動側開閉アーム部１８と固定側開閉アーム部１２とが屈曲して配置されていてもよい（図１参照）。
【００３７】
操作状態への変化について詳説すれは、図４（ａ）（ｂ）に示されているとおり、ヒンジ部２２において、ワイヤー５が後方に引っ張られると、ヒンジ滑車部材２７が回転支持ピン２５を軸に回転（図４において左回りに回転）し、ヒンジ滑車部材２７がヒンジ部２２において後方側に配置される。同時に、作動側開閉アーム部１８がヒンジ部２２を軸に回転（図４において左回りに回転）して固定側開閉アーム部１２から離れ、固定側開閉アーム部１２に対して水平に配置される。トーションバネ２６は、他方の端が固定アーム前方端部１６の固定側爪部１７に係止されると共に、一方の端が、ヒンジ滑車部材２７の回転に伴って係止部２３の作動側爪部２４に引っ張られる。トーションバネ２６は、変形して外力が蓄積された状態となる。
【００３８】
図１および図２に示された操作状態において、収容部２の開口部３を開閉部１１に取り付ける際、ストッパー４を作動側開閉アーム部１８の作動側Ｕ字溝２１から外しておく。開閉部１１の長孔空隙３９に収容部２を配置し、収容部２の開口部３を外側に折り返して、固定側開閉アーム部１２および作動側開閉アーム部１８に巻き付ける。開口部３を間に挟みながらストッパー４を作動側Ｕ字溝２１に嵌合させ、収容部２を開閉部１１に取り付ける。なお、固定側開閉アーム部１２側では、任意の取付部材（図示省略）で開口部３を固定側開閉アーム部１２に取り付ける。
【００３９】
操作状態において、操作者６がハンドル部３７を離すことで、操作部２９が外力から解放されると、図３に示されているとおり、未操作状態に変化する。
【００４０】
未操作状態への変化について詳説すれは、図４（ｃ）（ｄ）に示されているとおり、ヒンジ部２２において、トーションバネ２６の復元力によってヒンジ滑車部材２７が回転支持ピン２５を軸に回転（図４において右回りに回転）し、ヒンジ滑車部材２７がヒンジ部２２において前方側に配置される。このことに伴い、ワイヤー５がヒンジ滑車部２７に巻き付けられ、ワイヤー５が前方に引っ張られる。同時に、作動側開閉アーム部１８がヒンジ部２２を軸に回転（図４において右回りに回転）して固定側開閉アーム部１２に対して折り重なり、作動側開閉アーム部１８と固定側開閉アーム部１２とが対面する。
【００４１】
図３に示された未操作状態では、収容部２が取り付けられた状態で開閉部１１が閉塞するため、収容部２の内側が遮蔽される。また、未操作状態では、作動側開閉アーム部１８が固定側開閉アーム部１２に対して折り重なり、作動側開閉アーム部１８と固定側開閉アーム部１２とが対面しているため、着脱部２０を構成する作動側開閉アーム部１８の裏側（開閉部１１が折り畳まれて対面する側の反対側）が露出する。一方で、図２に示された操作状態では、収容部２が取り付けられた状態で開閉部１１が開放するため、収容部２の内側が露出する。また、操作状態では、作動側開閉アーム部１８が固定側開閉アーム部１２に対して水平に配置されているため、着脱部２０を構成する作動側開閉アーム部１８の裏側（開閉部１１が折り畳まれて対面する側の反対側）が表側から視して遮蔽される。
【００４２】
次に、本実施形態の効果を説明する。
【００４３】
上記したとおり、本実施形態によれば、開閉部１１は、ほぼ“Ｕ”字状に形成された固定側開閉アーム部１２と、ほぼ“Ｕ”字状に形成された作動側開閉アーム部１８とから構成され、環状に形成されている。固定側開閉アーム部１２のＵ字状のうち、開放されている側（前方）の固定アーム前方端部１６と、作動側開閉アーム部１８のＵ字状のうち、開放されている側（後方）の作動アーム後方端部１９とは、未操作状態で開閉部１１を折り畳むための一対のヒンジ部２２を介して連結されている。また、未操作状態または操作状態に変化させる操作部２９は、ほぼ“コ”字状に形成されたフレーム部３０と、このフレーム部３０のコ字状を閉塞する握り部３１と、フレーム部３０に沿って移動するハンドル部３７とから構成されている。操作部２９とヒンジ部２２との間に渡って配置されたワイヤー５は、一方の端がヒンジ滑車部材２７に取り付けられ、他方の端がハンドル部３７の中央に取り付けられている。
【００４４】
この構成により、操作状態では、ハンドル部３７と共にワイヤー５が後方に引かれ、作動側開閉アーム部１８がヒンジ部２２を軸に回転して固定側開閉アーム部１２から離れる。そのため、収容部２が取り付けられた状態で開閉部１１が開放し、作動側開閉アーム部１８が固定側開閉アーム部１２に対して水平に（または屈曲して）配置される。この状態で、排泄物が拾得される。一方、未操作状態では、操作者６がハンドル部３７を離すことで、操作部２９が外力から解放されると、トーションバネ２６の復元力によってワイヤー５がヒンジ滑車部２７に巻き付けられ、ワイヤー５が前方に引っ張られる。そのため、収容部２が取り付けられた状態で開閉部１１は自動的に閉塞し、作動側開閉アーム部１８が固定側開閉アーム部１２に対して折り重なり、作動側開閉アーム部１８と固定側開閉アーム部１２とが対面する。
【００４５】
したがって、排泄物を収容部２に収容した後、未操作状態に変化させることで排泄物が遮蔽されるため、景観を保つことができる。また、未操作状態において開閉部１１が閉塞するため、収容部２を閉塞させるために収容部２取り外す必要がなく、衛生を保つことができる。さらに、操作者６がハンドル部３７を離すことで、操作部２９が外力から解放されて自動的に開閉部１１が閉塞するため、排泄物を拾得した後、操作せずとも収容部２を遮蔽させて景観を保つことができる。
【００４６】
本実施形態によれば、作動側開閉アーム部１８の裏側（開閉部１１が折り畳まれて対面する側の反対側）は、収容部２が着脱される着脱部２０が形成されている。着脱部２０は、ストッパー４と、このストッパー４を嵌合させるために作動側開閉アーム部１８に沿ってＵ字状に形成された作動側Ｕ字溝２１とによって形成されている。
【００４７】
この構成により、操作状態では、作動側開閉アーム部１８が固定側開閉アーム部１２に対して水平に配置されるため、着脱部２０を構成する作動側開閉アーム部１８の裏側（開閉部１１が折り畳まれて対面する側の反対側）が表側から視して遮蔽される。すなわち、排泄時における操作状態において着脱部２０が遮蔽されているため、排泄物が着脱部２０に付着することがない。したがって、着脱部が汚れることがなく、衛生を保つことができる。
【００４８】
一方で、未操作状態では、作動側開閉アーム部１８が固定側開閉アーム部１２に対して折り重なり、作動側開閉アーム部１８と固定側開閉アーム部１２とが対面しているため、着脱部２０を構成する作動側開閉アーム部１８の裏側（開閉部１１が折り畳まれて対面する側の反対側）が表側から視して露出する。すなわち、排泄時以外における未操作状態において着脱部２０が露出しているため、収容部２を着脱することができる。
【００４９】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００５０】
１                動物
２                収容部
３                開口部
４                ストッパー
５                ワイヤー
６                操作者
１０              排泄物収容器具
１１              開閉部
１２              固定側開閉アーム部
１３              固定アーム後方部
１４              固定側Ｕ字溝
１５              支持部
１６              固定アーム前方端部
１７              固定側爪部
１８              作動側開閉アーム部
１９              作動アーム後方端部
２０              着脱部
２１              作動側Ｕ字溝
２２              ヒンジ部
２３              係止部
２４              作動側爪部
２５              回転支持ピン
２６              トーションバネ（バネ部材）
２７              ヒンジ滑車部材
２８              ワイヤー溝
２９              操作部
３０              フレーム部
３１              握り部
３２              フレーム側方部
３３              レール溝
３４              フレーム前方部
３５              角形空隙
３６              連結部材
３７              ハンドル部
３８              滑車部
３９              長孔空隙
【図１】
0003201255.tif 000003
【図２】
0003201255.tif 000004
【図３】
0003201255.tif 000005
【図４】
0003201255.tif 000006
【手続補正書】
【提出日】平成27年10月5日(2015.10.5)
【手続補正１】
【補正対象書類名】実用新案登録請求の範囲
【補正対象項目名】全文
【補正方法】変更
【補正の内容】
【実用新案登録請求の範囲】
【請求項１】
環状に形成されると共に一対のヒンジ部が備えられ、排泄物が収容される収容部を開閉する開閉部と、
前記開閉部が折り畳まれて閉塞して前記収容部の内側が遮蔽した未操作状態、または前記開閉部が開放して前記収容部の内側が露出した操作状態に変化させる操作部と、
前記操作部と前記ヒンジ部との間に渡されて前記操作部と前記開閉部とを連動させるワイヤーと、が備えられた、
ことを特徴とする排泄物収容器具。
【請求項２】
前記開閉部に、前記収容部が着脱される着脱部が備えられ、この着脱部が、前記未操作状態で露出し、前記操作状態で遮蔽される、
ことを特徴とする請求項１に排泄物収容器具。
【請求項３】
前記開閉部のうち、折り畳まれて対面する側の反対側に前記着脱部が備えられた、
ことを特徴とする請求項２に記載された排泄物収容器具。